(57)【要約】【課題】セキュリティ保護された出力対象データを、携帯端末からの求めに応じてセキュリティ解除した上で携帯端末に出力させるデータ処理技術を提供する。【解決手段】所定の解除コードの入力により解除可能にセキュリティ保護された出力対象データＯＰＤを保存するファイルサーバ６０と、ネットワークを介して接続された携帯端末１０から出力対象データの出力要求を受け付ける出力要求受信部５２と、携帯端末１０にセキュリティを解除するためのパスワードの入力を要求するパスワード要求部５４と、携帯端末１０からパスワードを受信するパスワード受信部５６と、受信したパスワードと解除コードとを照合し、これらが一致した場合に出力対象データのセキュリティを解除するセキュリティ解除部７０と、セキュリティが解除された出力対象データを携帯端末１０に出力させる出力処理部９０と、を備える。【選択図】図１
2009134651.tif 000002
【特許請求の範囲】
【請求項１】
所定の解除コードの入力により解除可能にセキュリティ保護された出力対象データを保存するデータ保存手段と、
ネットワークを介して接続された携帯端末から前記出力対象データの出力要求を受け付ける出力要求受信手段と、
前記出力要求が受け付けられた携帯端末に前記セキュリティを解除するためのパスワードの入力を要求するパスワード要求手段と、
前記パスワードの入力が要求された携帯端末からパスワードを受信するパスワード受信手段と、
前記受信したパスワードと前記解除コードとを照合し、これらが一致した場合に前記出力対象データのセキュリティを解除するセキュリティ解除手段と、
前記セキュリティが解除された出力対象データを前記携帯端末に出力させる出力処理手段と、
を備えるデータ処理装置。
【請求項２】
前記携帯端末を識別するための固有の識別情報、および前記識別情報に関連づけられた対照データを保存する認証情報保存手段と、
前記携帯端末より受信した識別情報およびアクセスコードと前記対照データとに基づいて前記携帯端末を認証する端末認証処理手段と、をさらに備える請求項１に記載のデータ処理装置。
【請求項３】
前記携帯端末で出力可能なファイル形式を記憶する形式情報保存手段と、
前記出力対象データのファイル形式を判定するファイル形式判定手段と、
前記判定された結果に基づいて、前記セキュリティが解除された出力対象データを、前記形式情報保存手段に記憶されたファイル形式のいずれに変換するかを決定するファイル形式決定手段と、
前記セキュリティが解除された出力対象データを前記決定されたファイル形式に変換するファイル変換手段と、をさらに備え、
前記出力処理手段が、前記変換された出力対象データを前記携帯端末に出力させることを特徴とする請求項１または２に記載のデータ処理装置。
【請求項４】
前記出力対象データが電子文書ファイル形式であって、かつ、
前記ファイル変換手段が、前記セキュリティが解除された出力対象データを画像ファイル形式に変換することを特徴とする請求項３に記載のデータ処理装置。
【請求項５】
前記出力処理手段が、前記画像ファイル形式に変換された出力対象データを前記携帯端末で閲覧される状態に保持する請求項４に記載のデータ処理装置。
【請求項６】
前記出力処理手段が、前記保持される出力対象データをウェブサイトに登録するとともに、前記ウェブサイトのウェブアドレスが記録された電子メールを前記携帯端末に送信する請求項５に記載のデータ処理装置。
【請求項７】
所定の解除コードの入力により解除可能にセキュリティ保護された出力対象データを保存するデータ保存手段と、
ネットワークを介して前記データ保存手段に接続された携帯端末と、
前記携帯端末から前記出力対象データの出力要求を受け付ける出力要求受信手段と、
前記出力要求が受け付けられた携帯端末に前記セキュリティを解除するためのパスワードの入力を要求するパスワード要求手段と、
前記パスワードの入力が要求された携帯端末からパスワードを受信するパスワード受信手段と、
前記受信したパスワードと前記解除コードとを照合し、これらが一致した場合に前記出力対象データのセキュリティを解除するセキュリティ解除手段と、
前記セキュリティが解除された出力対象データを前記携帯端末に出力させる出力処理手段と、
を備えるデータ処理システム。
【請求項８】
所定の解除コードの入力により解除可能にセキュリティ保護された出力対象データを携帯端末に出力させるデータ処理装置のためのコンピュータプログラムであって、
ネットワークを介して接続された携帯端末から前記出力対象データの出力要求を受け付ける出力要求受信処理と、
前記出力要求が受け付けられた携帯端末に前記セキュリティを解除するためのパスワードの入力を要求するパスワード要求処理と、
前記パスワードの入力が要求された携帯端末からパスワードを受信するパスワード受信処理と、
前記受信したパスワードと前記解除コードとを照合し、これらが一致した場合に前記出力対象データのセキュリティを解除するセキュリティ解除処理と、
前記セキュリティが解除された出力対象データを前記携帯端末に出力させる出力処理と、
を前記データ処理装置に実行させるためのコンピュータプログラム。
【請求項９】
所定の解除コードの入力により解除可能にセキュリティ保護された出力対象データを携帯端末に出力させる方法であって、
ネットワークを介して接続された携帯端末から前記出力対象データの出力要求を受け付ける出力要求受信ステップと、
前記出力要求が受け付けられた携帯端末に前記セキュリティを解除するためのパスワードの入力を要求するパスワード要求ステップと、
前記パスワードの入力が要求された携帯端末からパスワードを受信するパスワード受信ステップと、
前記受信したパスワードと前記解除コードとを照合し、これらが一致した場合に前記出力対象データのセキュリティを解除するセキュリティ解除ステップと、
前記セキュリティが解除された出力対象データを前記携帯端末に出力させる出力ステップと、
を含むデータ処理方法。
【発明の詳細な説明】
【技術分野】
【０００１】
本発明は、データ処理装置、データ処理システム、データ処理装置のためのコンピュータプログラムおよびデータ処理方法に関し、特にセキュリティ保護されたデータを携帯端末に出力する技術に関する。
【背景技術】
【０００２】
携帯端末、特に携帯電話の情報通信機能や情報処理機能の近年の発達により、従来は専らパーソナルコンピュータによって作成および出力されていた電子データを、携帯端末で出力したいという要望が高まっている。
この種の技術に関しては、たとえば特許文献１に記載のように、端末識別子を含むコンテンツ要求を携帯端末から受信した情報サーバが、利用者情報テーブルに基づいて当該携帯端末を確認した上で、要求されたコンテンツをコンテンツ提供手段から取得して当該携帯端末に提供する技術が知られている。
かかる技術によれば、機密に管理された電子データが保存された企業内の情報サーバに対して、携帯端末から外部ネットワークを介してアクセスする際の安全性を高めることができる。
【０００３】
【特許文献１】特開２００５−２６９５７１号公報
【発明の開示】
【発明が解決しようとする課題】
【０００４】
しかし一般に携帯端末はパーソナルコンピュータに比べていまだ処理能力や記憶容量で劣るため、パーソナルコンピュータ用に用意されたアプリケーションのすべての機能を携帯端末で実現することは困難な場合が多い。
例えば携帯端末で文書ファイルや画像ファイルを閲覧する場合、セキュリティ保護されていないファイルを開いてその内容にあたる文字や画像などを携帯端末上で表示出力することは近年可能となりつつある。しかし、読み取り（閲覧）パスワードが設定されてセキュリティ保護されたファイルの場合は、当該セキュリティを解除する機能が携帯端末に備わっていない限りこれを開いて表示出力することができないという不都合がある。
【０００５】
本発明は上記課題に鑑みてなされたものであり、セキュリティ保護された出力対象データを、携帯端末からの求めに応じてセキュリティ解除した上で携帯端末に出力させることのできるデータ処理装置、データ処理システム、データ処理装置のためのコンピュータプログラム、およびデータ処理方法を提供するものである。
【課題を解決するための手段】
【０００６】
本発明のデータ処理装置は、所定の解除コードの入力により解除可能にセキュリティ保護された出力対象データを保存するデータ保存手段と、
ネットワークを介して接続された携帯端末から前記出力対象データの出力要求を受け付ける出力要求受信手段と、
前記出力要求が受け付けられた携帯端末に前記セキュリティを解除するためのパスワードの入力を要求するパスワード要求手段と、
前記パスワードの入力が要求された携帯端末からパスワードを受信するパスワード受信手段と、
前記受信したパスワードと前記解除コードとを照合し、これらが一致した場合に前記出力対象データのセキュリティを解除するセキュリティ解除手段と、
前記セキュリティが解除された出力対象データを前記携帯端末に出力させる出力処理手段と、
を備える。
【０００７】
ここで、携帯端末とは携帯電話機のほか、ＰＨＳ（Personal Handy-phone System：登録商標）や携帯情報端末（ＰＤＡ：Personal Digital Assistant）などを含む。
出力対象データには各種ファイル形式を含み、例えば文書ファイル形式、静止画像形式、動画像形式、音声ファイル形式などが例示される。すなわち本発明において出力対象データを携帯端末で出力するとは、文書ファイルや静止画像、動画像をそのディスプレイ画面等に視覚的に表示出力するほか、音声ファイルをスピーカ等より音声出力することを含む。
セキュリティ保護の態様としては、当該出力対象データに対応するアプリケーション上で読み取り（読み込み，閲覧）パスワードやフルパスワード（読み取りおよび書き込みパスワード）が設定されている態様が例示される。このほか、圧縮ソフトなどのファイル変換アプリケーションや暗号化アプリケーションを通じてパスワードが設定されている態様も含む。
【０００８】
本発明のデータ処理システムは、所定の解除コードの入力により解除可能にセキュリティ保護された出力対象データを保存するデータ保存手段と、
ネットワークを介して前記データ保存手段に接続された携帯端末と、
前記携帯端末から前記出力対象データの出力要求を受け付ける出力要求受信手段と、
前記出力要求が受け付けられた携帯端末に前記セキュリティを解除するためのパスワードの入力を要求するパスワード要求手段と、
前記パスワードの入力が要求された携帯端末からパスワードを受信するパスワード受信手段と、
前記受信したパスワードと前記解除コードとを照合し、これらが一致した場合に前記出力対象データのセキュリティを解除するセキュリティ解除手段と、
前記セキュリティが解除された出力対象データを前記携帯端末に出力させる出力処理手段と、
を備える。
【０００９】
本発明のコンピュータプログラムは、所定の解除コードの入力により解除可能にセキュリティ保護された出力対象データを携帯端末に出力させるデータ処理装置のためのコンピュータプログラムであって、
ネットワークを介して接続された携帯端末から前記出力対象データの出力要求を受け付ける出力要求受信処理と、
前記出力要求が受け付けられた携帯端末に前記セキュリティを解除するためのパスワードの入力を要求するパスワード要求処理と、
前記パスワードの入力が要求された携帯端末からパスワードを受信するパスワード受信処理と、
前記受信したパスワードと前記解除コードとを照合し、これらが一致した場合に前記出力対象データのセキュリティを解除するセキュリティ解除処理と、
前記セキュリティが解除された出力対象データを前記携帯端末に出力させる出力処理と、
を前記データ処理装置に実行させる。
【００１０】
本発明のデータ処理方法は、所定の解除コードの入力により解除可能にセキュリティ保護された出力対象データを携帯端末に出力させる方法であって、
ネットワークを介して接続された携帯端末から前記出力対象データの出力要求を受け付ける出力要求受信ステップと、
前記出力要求が受け付けられた携帯端末に前記セキュリティを解除するためのパスワードの入力を要求するパスワード要求ステップと、
前記パスワードの入力が要求された携帯端末からパスワードを受信するパスワード受信ステップと、
前記受信したパスワードと前記解除コードとを照合し、これらが一致した場合に前記出力対象データのセキュリティを解除するセキュリティ解除ステップと、
前記セキュリティが解除された出力対象データを前記携帯端末に出力させる出力ステップと、
を含む。
【００１１】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１２】
また、本発明の各種の構成要素は、個々に独立した存在である必要はなく、複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でよい。
【００１３】
また、本発明の方法には複数のステップを順番に記載してあるが、その記載の順番は複数のステップを実行する順番を必ずしも限定するものではない。このため、本発明の方法を実施するときには、その複数の工程の順番は内容的に支障しない範囲で変更することができる。
【００１４】
さらに、本発明のデータ処理方法の複数のステップは個々に相違するタイミングで実行されることに限定されない。このため、あるステップの実行中に他のステップが発生すること、あるステップの実行タイミングと他のステップの実行タイミングとの一部ないし全部が重複していること、等でもよい。
【００１５】
また、本発明で云うデータ処理装置は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定のデータ処理を実行するように構築された専用の論理回路、これらの組み合わせ、等として実施することができる。
【００１６】
なお、本発明でコンピュータプログラムに対応した各種動作をデータ処理装置に実行させることは、各種デバイスをデータ処理装置に動作制御させることなども意味している。
【００１７】
例えば、データ処理装置に各種データを記憶、保持または保存させることは、データ処理装置に固定されているＨＤＤ（Hard Disc Drive）やＲＡＭ等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等でよい。
【発明の効果】
【００１８】
本発明のデータ処理装置によれば、出力対象データに設定されたセキュリティ保護を、携帯端末から入力されたパスワードを用いて解除することができる。したがって携帯端末自体には当該出力対象データに対するセキュリティの解除機能が備わっていなくとも、データ処理装置によってこれを実行して携帯端末に出力させることができる。
【発明を実施するための最良の形態】
【００１９】
以下、本発明の実施形態の一例について、図面を用いて説明する。なお、すべての図面において、同様な構成要素には同様の符号を付し、適宜説明を省略する。
本実施形態のデータ処理システム１０００は、図２に示すように、インターネット３０、インターネット３０に接続された少なくとも一個のデータ処理装置１００、および基地局２０を介してインターネット３０に無線接続された少なくとも一個の携帯端末１０とで構成されている。
【００２０】
本実施形態のデータ処理装置１００は、図１に示すように、所定の解除コードの入力により解除可能にセキュリティ保護された出力対象データＯＰＤを保存するデータ保存部（ファイルサーバ６０）と、ネットワーク（インターネット３０）を介して接続された携帯端末１０から前記出力対象データＯＰＤの出力要求ＯＰＲを受け付ける出力要求受信部５２と、前記出力要求が受け付けられた携帯端末１０に前記セキュリティを解除するためのパスワードＰＷの入力を要求するパスワード要求部５４と、前記パスワードの入力が要求された携帯端末１０からパスワードＰＷを受信するパスワード受信部５６と、前記受信したパスワードＰＷと前記解除コードとを照合し、これらが一致した場合に前記出力対象データＯＰＤのセキュリティを解除するセキュリティ解除部７０と、前記セキュリティが解除された出力対象データＯＰＤを前記携帯端末１０に出力させる出力処理部９０と、を備える。ただし同図で基地局２０およびインターネット３０については図示を省略している。
【００２１】
より詳細には、本実施形態のデータ処理装置１００は更に、携帯端末１０を認証する端末認証処理部４０と、ファイルサーバ６０に保存された出力対象データＯＰＤに対する各種処理および携帯端末１０との通信処理を制御するファイルサーバ制御部５０と、セキュリティが解除された出力対象データＯＰＤのファイル形式を必要に応じて変換する変換処理部８０とを備えている。ファイルサーバ制御部５０は、図示しないファイアウォール（ＦＷ）を介して端末認証処理部４０の背後に接続されている。
【００２２】
端末認証処理部４０は、携帯端末１０を識別するための固有の識別情報ＩＤＤ、および識別情報ＩＤＤに関連づけられた対照データＲＦＤ（図示せず）を保存する認証情報保存部４２を有している。そして端末認証処理部４０は、携帯端末１０より受信した識別情報ＩＤＤおよびアクセスコードＡＣＣと、前記対照データＲＦＤとに基づいて携帯端末１０を認証する。具体的には、端末認証処理部４０は携帯端末１０より識別情報ＩＤＤおよびアクセスコードＡＣＣを受信し、識別情報ＩＤＤをキーとしてアクセスコードＡＣＣと対照データＲＦＤとが一致するかどうかを判断する。これにより端末認証処理部４０は、当該携帯端末１０がデータ処理装置１００に予めアクセス権が登録された端末であるかどうかを判定する。
【００２３】
認証された携帯端末１０には、端末認証処理部４０から認証通知ＡＴが送信される。
次に、認証通知ＡＴを受け取った携帯端末１０から、任意の出力対象データＯＰＤに対する出力要求ＯＰＲが発信され、これを出力要求受信部５２が受信すると、ファイルサーバ制御部５０はファイルサーバ６０から当該出力対象データＯＰＤを取得する。そしてファイルサーバ制御部５０は、出力対象データＯＰＤのヘッダ情報を読み取り、これが解除コードの設定によってセキュリティ保護されている、すなわち出力などの操作が制限されているか否かを判定する。
出力対象データＯＰＤに解除コードが設定されている場合、ファイルサーバ制御部５０は出力対象データＯＰＤをセキュリティ解除部７０に転送するとともに、パスワード要求部５４より携帯端末１０に対してパスワード入力要求ＰＷＲが送信される。そしてパスワード入力要求ＰＷＲを受け取った携帯端末１０からパスワードＰＷが入力されたことをパスワード受信部５６が受信すると、ファイルサーバ制御部５０は当該受信したパスワードＰＷをセキュリティ解除部７０に転送する。
【００２４】
セキュリティ解除部７０では、受信したパスワードＰＷと、出力対象データＯＰＤに設定されている解除コードＵＬＣ（図示せず）とを照合する。照合の結果、両者が一致した場合にはセキュリティ解除部７０によって当該出力対象データＯＰＤのセキュリティが解除される。
【００２５】
出力対象データＯＰＤが、対応するアプリケーション上で読み取りパスワードを設定されている場合、セキュリティ解除部７０では例えば当該アプリケーションを起動した上で、パスワードＰＷ、すなわち解除コードＵＬＣを入力することによりセキュリティを解除することができる。かかる場合、セキュリティ解除後の出力対象データＯＰＤのファイル形式は、セキュリティ解除前の出力対象データＯＰＤのファイル形式と同一である。
【００２６】
また出力対象データＯＰＤが、圧縮ソフトなどのファイル変換アプリケーション上でパスワードＰＷが設定されていた場合については、セキュリティ解除部７０では例えば当該ファイル変換アプリケーションを起動した上で、パスワードＰＷ、すなわち解除コードＵＬＣを入力することによりセキュリティを解除することができる。この場合、セキュリティの解除とともに、出力対象データＯＰＤのファイル形式が変換される。したがってかかる場合、セキュリティ解除後の出力対象データＯＰＤのファイル形式は、セキュリティ解除前の出力対象データＯＰＤのファイル形式と相違することとなる。
【００２７】
なお本発明において、セキュリティ解除部７０による解除コードの入力は、上記のように該当するアプリケーションを起動させた状態で行ってもよく、またはアプリケーションを起動させることなく行ってもよい。
【００２８】
セキュリティが解除された出力対象データＯＰＤは、ファイルサーバ制御部５０より変換処理部８０に転送される。そして変換処理部８０では必要に応じて出力対象データＯＰＤのファイル形式が変換され、最終的に出力処理部９０により携帯端末１０に出力される。
またファイルサーバ６０に保存されている時点でセキュリティ保護が施されていなかった出力対象データＯＰＤについても同様に、ファイルサーバ６０からファイルサーバ制御部５０に取り出された後、変換処理部８０に転送される。
【００２９】
携帯端末１０で出力可能なファイル形式としては、例えばＪＰＥＧ（Joint Photographic Experts Group）などの静止画像ファイル形式や、Ｆｌａｓｈ  Ｌｉｔｅ（登録商標）などの動画像ファイル形式、またはｗａｖｅ（waveform Audio Format）形式などの音声ファイル形式が例示される。
このうち本実施形態では、携帯端末１０で出力される出力対象データＯＰＤのファイル形式として、静止画像ファイル形式または動画像ファイル形式などの画像ファイル形式を例示する。これらの画像ファイルは、一般的な携帯端末１０の備える標準ブラウザで表示出力（以下、「表示」と略記する場合がある。）が可能なファイル形式のほか、携帯端末１０に個別にインストールされたアプリケーションソフトウェアに対応するファイル形式であってもよい。
【００３０】
一方、ファイルサーバ６０に保存された状態における出力対象データＯＰＤのファイル形式は、携帯端末１０で出力可能なものに限られない。すなわち本実施形態のデータ処理装置１００は変換処理部８０を備えており、ファイルサーバ６０に保存された出力対象データＯＰＤのファイル形式が携帯端末１０で出力不可能な形式である場合には、これを出力可能な形式に変換する。
【００３１】
本実施形態については、出力対象データＯＰＤとして電子文書ファイル形式を例示する。電子文書ファイル形式とは、ワープロソフト用ファイル、表計算ソフト用ファイル、プレゼンテーションソフト用ファイル、電子ドキュメントファイル（例えばＰＤＦ：Portable Document Format）などに例示される、文字情報を含むファイル形式である。これらの電子文書ファイルに対応するアプリケーションソフトウェアでは一般に読み取りパスワードの設定が可能である。
【００３２】
本実施形態の変換処理部８０は、図３に示すように、携帯端末１０で出力可能なファイル形式を記憶する形式情報保存部８６と、出力対象データＯＰＤのファイル形式を判定するファイル形式判定部８２と、前記判定された結果に基づいて、セキュリティが解除された出力対象データＯＰＤを、形式情報保存部８６に記憶されたファイル形式のいずれに変換するかを決定するファイル形式決定部８４と、前記セキュリティが解除された出力対象データＯＰＤを前記決定されたファイル形式に変換するファイル変換部８８と、を備えている。
【００３３】
より詳細には、まずファイル形式判定部８２はセキュリティ保護が設定されていない出力対象データＯＰＤをファイルサーバ制御部５０から受け取る。つぎにファイル形式判定部８２は、受け取った出力対象データＯＰＤの拡張子やファイル識別ヘッダの情報等からそのファイル形式を判定する。かかる判定結果は、ファイル形式決定部８４に送信される。
【００３４】
ファイル形式決定部８４では、出力対象データＯＰＤのファイル形式を変換する必要があるか否か、および変換する必要がある場合はその変換後のファイル形式を決定する。
具体的には、携帯端末１０の識別情報ＩＤＤごとに、または携帯端末１０の機種ごとに、当該携帯端末１０で出力可能なファイル形式が変換テーブルとして形式情報保存部８６に記憶されている。
変換テーブルでは、携帯端末１０の識別情報ＩＤＤごとに、または携帯端末１０の機種ごとに、当該携帯端末１０で出力できない変換前のファイル形式と、出力可能な変換先のファイル形式とが、１対１またはｎ対１に対応付けられて記憶されている。
【００３５】
ファイル形式決定部８４では、端末認証処理部４０から取得した携帯端末１０の識別情報ＩＤＤをキーとして、当該携帯端末１０で出力可能なファイル形式群の中に出力対象データＯＰＤのファイル形式が含まれているかどうかを判定する。
かかる判定が肯定された場合、すなわちファイルサーバ制御部５０から受信した出力対象データＯＰＤが携帯端末１０で出力可能なファイル形式であった場合、変換処理部８０ではファイル変換部８８で処理を行うことなく出力対象データＯＰＤを出力処理部９０へと転送する。
【００３６】
一方、上記判定が否定された場合、すなわちファイルサーバ制御部５０から受信した出力対象データＯＰＤが携帯端末１０で出力不可能なファイル形式であった場合、ファイル形式決定部８４では、携帯端末１０の識別情報ＩＤＤと、変換前の出力対象データＯＰＤのファイル形式をキーとして、変換先のファイル形式を一意に決定する。
【００３７】
ここで、変換前の出力対象データＯＰＤが、ページの切り換えやアニメーション機能などの動的要素を含むプレゼンテーションファイルなどの場合、ファイル形式決定部８４では、変換後のファイル形式として静止画像を選択しても動画像を選択してもよい。
また変換前の出力対象データＯＰＤが動的要素を含むものであったとしても、変換後のファイル形式として動画像ファイルを選択する必要は必ずしもなく、動的要素を削除した静止画像ファイルに変換してもよい。
逆に、変換前の出力対象データＯＰＤが動的要素を含まない電子文書ファイルであった場合に、変換後の出力対象データＯＰＤのファイル形式を動画像形式としてもよい。例えば出力画像の拡大、縮小、回転、スクロールなどの操作が携帯端末１０でできるよう、携帯端末１０のキーごとに割り当てられたコマンドを元の電子文書ファイルに組み込んだＦｌａｓｈ  Ｌｉｔｅ（登録商標）形式などの動画像形式を選択することができる。
【００３８】
ファイル変換部８８では、ファイル形式判定部８２が受信した出力対象データＯＰＤを、上記決定された変換先のファイル形式に変換する。ファイル変換部８８は、ユーザが携帯端末１０で出力を希望する変換前の出力対象データＯＰＤのファイル形式にいずれも対応しているものとする。なお、ファイル変換部８８による出力対象データＯＰＤの変換には既存のファイルコンバーターを用いるとよい。
【００３９】
以上のように、携帯端末１０に応じてファイル形式が変換された出力対象データＯＰＤは、出力処理部９０によって携帯端末１０に出力される。
本実施形態の出力処理部９０は、図４に示すように、画像ファイル形式などに変換された出力対象データＯＰＤを、携帯端末１０で閲覧される状態に保持する。
具体的には、本実施形態の場合、変換処理部８０から出力対象データＯＰＤを受け取ったデータ登録部９２は、これをデータ保持部９４に一旦格納するとともに、携帯端末１０に向けて送信する。
【００４０】
図５は本実施形態のデータ処理装置１００にて実行されるデータ処理方法のフローチャートである。同図を用いて携帯端末１０およびデータ処理装置１００の動作を説明する。
【００４１】
データ処理装置１００では、まず携帯端末１０からの認証要求を待つ（ステップＳ１０１：Ｎ）。認証要求としての識別情報ＩＤＤおよびアクセスコードＡＣＣを端末認証処理部４０が受信すると（ステップＳ１０１：Ｙ）、識別情報ＩＤＤをキーとしてアクセスコードＡＣＣと対照データＲＦＤとを比較することにより携帯端末１０の端末認証処理を行う。アクセスコードＡＣＣと対照データＲＦＤが不一致であった場合（ステップＳ１０２：Ｎ）、携帯端末１０の認証は行われず、データ処理装置１００による処理は終了する。
【００４２】
携帯端末１０が認証された場合（ステップＳ１０２：Ｙ）、データ処理装置１００は携帯端末１０に対して認証通知ＡＴを送信する（ステップＳ１０３）。
携帯端末１０に認証通知ＡＴを送信したデータ処理装置１００は、ファイルサーバ６０に保存されたファイルの一覧を携帯端末１０のブラウザ等に表示させる。
【００４３】
そしてデータ処理装置１００は、携帯端末１０より所定の出力対象データＯＰＤの出力要求を受信するまで待機し（ステップＳ１０４：Ｎ）、これを受信すると（ステップＳ１０４：Ｙ）、該当する出力対象データＯＰＤをファイルサーバ６０より取得する（ステップＳ１０５）。
【００４４】
そしてデータ処理装置１００は、取得した出力対象データＯＰＤがセキュリティ保護されている場合（ステップＳ１０６：Ｙ）、出力要求が受け付けられた携帯端末１０に対して、当該セキュリティを解除するためのパスワード入力要求ＰＷＲを送信する（ステップＳ１０７）
データ処理装置１００は、パスワード入力要求ＰＷＲを受け取った携帯端末１０からパスワードＰＷを受信するまで待機し（ステップＳ１０８：Ｎ）、これを受信すると（ステップＳ１０８：Ｙ）、受信したパスワードＰＷと、出力対象データＯＰＤに設定された解除コードＵＬＣとを照合する（ステップＳ１０９）。
【００４５】
パスワードＰＷと解除コードＵＬＣとが不一致であった場合（ステップＳ１１０：Ｎ）、データ処理装置１００は携帯端末１０に再度パスワードＰＷの入力を求める（ステップＳ１０７）。
パスワードＰＷと解除コードＵＬＣとが一致した場合（ステップＳ１１０：Ｙ）、データ処理装置１００は出力対象データＯＰＤのセキュリティを解除する（ステップＳ１１１）。
【００４６】
セキュリティを解除された出力対象データＯＰＤには、図６にフローチャートを示す変換・出力処理が行われる（ステップＳ１１２）。
一方、ファイルサーバ６０より取得した出力対象データＯＰＤがセキュリティ保護されていない場合（ステップＳ１０６：Ｎ）についても、同様に変換・出力処理が行われる（ステップＳ１１２）。
【００４７】
変換・出力処理では、まずデータ処理装置１００はセキュリティ保護の解除された出力対象データＯＰＤのファイル形式を判定する（ステップＳ２０１）。当該判定の結果、出力対象データＯＰＤが携帯端末１０で出力不可能な形式であると判定された場合（ステップＳ２０２：Ｎ）、データ処理装置１００では変換先のファイル形式が決定され（ステップＳ２０３）、かかるファイル形式に出力対象データＯＰＤは変換される（ステップＳ２０４）。
【００４８】
変換された出力対象データＯＰＤは、データ処理装置１００に一旦格納され（ステップＳ２０５）、携帯端末１０での出力に供される（ステップＳ２０６）。
一方、セキュリティ保護の解除された出力対象データＯＰＤが携帯端末１０で出力可能な形式であると判定された場合（ステップＳ２０２：Ｙ）については、当該出力対象データＯＰＤのファイル形式を変換することなくデータ処理装置１００に一旦格納され（ステップＳ２０５）、携帯端末１０での出力に供される（ステップＳ２０６）。
以上でデータ処理装置１００は一連の処理を終える。
【００４９】
このように本実施形態のデータ処理装置１００およびこれを有するデータ処理システム１０００では、携帯端末１０からの出力要求に対応して一連の処理を行い、セキュリティが解除された出力対象データＯＰＤを携帯端末１０に表示させる。したがって当該セキュリティを解除する機能が備わっていない携帯端末１０によっても、当該出力対象データＯＰＤを出力することができる。
【００５０】
また変換処理部８０を備える本実施形態のデータ処理装置１００によれば、ファイルサーバ６０に保存された出力対象データＯＰＤが携帯端末１０で出力可能なファイル形式であるか、または出力不可能なファイル形式であるかを問わず、出力対象データＯＰＤの内容を出力することができる。
【００５１】
特にセキュリティが解除された出力対象データＯＰＤのファイル形式を判定するファイル形式判定部８２を備えるデータ処理装置１００によれば、セキュリティの解除処理によって出力対象データＯＰＤのファイル形式が変換されてしまう場合についても、解除後の出力対象データＯＰＤを携帯端末１０で出力可能なファイル形式に変換することができる。
【００５２】
なお本発明は上記実施形態に限定されるものではなく、その要旨を逸脱しない範囲で各種の変形を許容する。
例えば上記実施形態では、変換後の出力対象データＯＰＤのファイル形式を決定する処理を行うファイル形式決定部の機能が変換処理部８０によって実現されている態様を説明したが、これに代えて、ファイルサーバ制御部５０またはセキュリティ解除部７０がかかる機能を有していてもよい。
かかる場合、セキュリティ保護の解除された出力対象データＯＰＤのファイル形式を示す情報は、ファイル形式決定部８４がファイルサーバ制御部５０から受信することとすればよい。
【００５３】
また上記実施形態の変形例として、出力処理部９０が、セキュリティ保護の解除された出力対象データＯＰＤをウェブサイトに登録するとともに、前記ウェブサイトのウェブアドレスが記録された電子メールを携帯端末１０に送信することとしてもよい。
【００５４】
図７は、かかる出力処理部９０のブロック図である。データ登録部９２は、セキュリティ保護の解除された出力対象データＯＰＤを変換処理部８０から受け取ると、これをウェブサーバであるデータ保持部９４に格納する。そしてデータ登録部９２は出力対象データＯＰＤの格納されたウェブアドレス（ＵＲＬ：Uniform Resource Locator）が本文中に記載された電子メールをメール送信部９６より携帯端末１０に送信する。
【００５５】
そしてデータ処理装置１００は、携帯端末１０のユーザが上記電子メールに記載されたＵＲＬをクリックするなどして出力対象データＯＰＤの出力をあらためて要求された場合には、ウェブサイトに登録された出力対象データＯＰＤを携帯端末１０のブラウザ等に出力させる。
【００５６】
このようにセキュリティが解除された出力対象データＯＰＤがウェブサイトに登録され、認証された携帯端末１０からの閲覧のみが許可されることにより、出力対象データＯＰＤのセキュリティを確保しつつ、当該データを携帯端末１０で容易に繰り返し出力することができる。またかかる態様によれば、出力される出力対象データＯＰＤを携帯端末１０に恒久的に保存しておく必要がないため、携帯端末１０の限られた記憶容量に対する負荷が軽減され、また出力対象データＯＰＤが外部に流出するリスクも低減される。
【００５７】
なお上記実施形態ではいずれも、出力対象データＯＰＤとして電子文書ファイル形式や画像ファイル形式を例示したが、このほか音声データや、音声と画像の混合データなどを出力の対象としてもよい。
【図面の簡単な説明】
【００５８】
【図１】本発明の実施形態のデータ処理システムの論理構造を示す模式的なブロック図である。
【図２】データ処理システムの物理構造を示すブロック図である。
【図３】変換処理部の論理構造を示す模式的なブロック図である。
【図４】出力処理部の論理構造を示す模式的なブロック図である。
【図５】データ処理装置によるデータ処理方法のフローチャートである。
【図６】データ処理装置による変換・出力処理のフローチャートである。
【図７】変形例にかかる出力処理部の論理構造を示す模式的なブロック図である。
【符号の説明】
【００５９】
１０        携帯端末
２０        基地局
３０        インターネット
４０        端末認証処理部
４２        認証情報保存部
５０        ファイルサーバ制御部
５２        出力要求受信部
５４        パスワード要求部
５６        パスワード受信部
６０        ファイルサーバ
７０        セキュリティ解除部
８０        変換処理部
８２        ファイル形式判定部
８４        ファイル形式決定部
８６        形式情報保存部
８８        ファイル変換部
９０        出力処理部
９２        データ登録部
９４        データ保持部
９６        メール送信部
１００      データ処理装置
１０００    データ処理システム
【図１】
2009134651.tif 000003
【図２】
2009134651.tif 000004
【図３】
2009134651.tif 000005
【図４】
2009134651.tif 000006
【図５】
2009134651.tif 000007
【図６】
2009134651.tif 000008
【図７】
2009134651.tif 000009